【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
所定の情報処理規則に従って符号化された映像及び音声情報を含む第１の符号化データを多重分離する多重分離手段と、
前記多重分離手段によって多重分離された第１の符号化データに基づいてイントラピクチャを保持する保持手段と、
前記保持手段に保持されたイントラピクチャ間に固定パターンのＢピクチャ及びＰピクチャを挿入する画像挿入手段と、
通常再生時は前記多重分離手段によって多重分離された後の前記第１の符号化データを選択し、
特殊再生時には、前記画像挿入手段の出力を選択するように制御される選択手段とを備え、
前記第１の符号化データをデジタル信号処理機器用の第２の符号化データに再構築するデータ再構築装置。
【請求項２】
前記固定パターンは、動きベクター（０、０）差分値「０」である請求項１に記載のデータ再構築装置。
【請求項３】
前記イントラピクチャは、前記多重分離された後の第１の符号化データから抽出される請求項１に記載のデータ再構築装置。
【請求項４】
前記第１の符号化データを復号化する復号化手段と、
前記復号化手段により復号化されたデータをデジタル信号処理機器用に再符号化する再符号化手段をさらに有し、
前記イントラピクチャは、前記再符号化手段によって再符号化された符号化データから抽出される請求項１に記載のデータ再構築装置。
【請求項５】
前記選択手段から出力される通常再生時の前記第１の符号化データ及び特殊再生時の前記第２の符号化データを多重化する多重化手段が設けられる請求項２乃至請求項４に記載のデータ再構築装置。
【請求項６】
所定の情報処理規則に従って符号化された映像及び音声情報を含む第１の符号化データをデジタル信号処理機器用の第２の符号化データに再構築するデータ再構築装置が、
前記第１の符号化データを多重分離するステップと、
多重分離された前記第１の符号化データに基づいてイントラピクチャを保持するステップと、
通常再生時に多重分離後の前記符号化データを選択するステップと、
特殊再生時に保持された前記イントラピクチャ間に固定パターンのＢピクチャ及びＰピクチャを挿入してストリームとしての出力を選択するステップとを有するデータ再構築方法。
【手続補正２】
【補正対象書類名】明細書
【補正対象項目名】発明の名称
【補正方法】変更
【補正の内容】
【発明の名称】データ再構築装置及びデータ再構築方法
【手続補正３】
【補正対象書類名】明細書
【補正対象項目名】０００１
【補正方法】変更
【補正の内容】
【０００１】
この発明は、所定の情報処理規則に従って符号化された映像及び音声情報を再生してデジタル信号処理機器に伝送する映像音声情報再生伝送装置などに適用して好適なデータ再構築装置及びデータ再構築方法に関する。
【手続補正４】
【補正対象書類名】明細書
【補正対象項目名】０００９
【補正方法】変更
【補正の内容】
【０００９】
そこで、本発明は上述した課題を解決したものであってデジタル放送やデジタル記憶媒体から得られる映像及び音声情報をデジタル伝送する場合でも、アナログ信号処理機器と同様にして再現性良く通常再生及び映像の静止、早送り及び早戻しなどの特殊再生できるようにしたデータ再構築装置及びデータ再構築方法を提案することを目的とする。
【手続補正５】
【補正対象書類名】明細書
【補正対象項目名】００１０
【補正方法】変更
【補正の内容】
【００１０】
上述の課題を解決するため、所定の情報処理規則に従って符号化された映像及び音声情報を含む第１の符号化データを多重分離する多重分離手段と、前記多重分離手段によって多重分離された第１の符号化データに基づいてイントラピクチャを保持する保持手段と、前記保持手段に保持されたイントラピクチャ間に固定パターンのＢピクチャ及びＰピクチャを挿入する画像挿入手段と、通常再生時は前記多重分離手段によって多重分離された後の前記第１の符号化データを選択し、特殊再生時には、前記画像挿入手段の出力を選択するように制御される選択手段とを備え、前記第１の符号化データをデジタル信号処理機器用の符号化データに再構築するデータ再構築装置によって解決される。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明のデータ再構築装置によれば、所定の情報処理規則に従って符号化された映像及び音声情報を含む第１の符号化データが多重分離手段によって多重分離される。保持手段は、多重分離手段によって多重分離された第１の符号化データに基づいてイントラピクチャを保持する。画像挿入手段は、保持手段に保持されたイントラピクチャ間に固定パターンのＢピクチャ及びＰピクチャを挿入する。選択手段は、通常再生時は多重分離手段によって多重分離された後の第１の符号化データを選択し、特殊再生時には、画像挿入手段の出力を選択するように制御される。これにより、データ再構築装置は、第１の符号化データをデジタル信号処理機器用の符号化データに再構築する。
【手続補正８】
【補正対象書類名】明細書
【補正対象項目名】００１４
【補正方法】変更
【補正の内容】
【００１４】
本発明に係るデータ再構築方法は、所定の情報処理規則に従って符号化された映像及び音声情報を含む第１の符号化データをデジタル信号処理機器用の第２の符号化データに再構築するデータ再構築装置が、第１の符号化データを多重分離するステップと、多重分離された第１の符号化データに基づいてイントラピクチャを保持するステップと、通常再生時に多重分離後の第１の符号化データを選択するステップと、特殊再生時に保持されたイントラピクチャ間に固定パターンのＢピクチャ及びＰピクチャを挿入してストリームとしての出力を選択するステップとを有するものである。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
本発明に係るデータ再構築方法によれば、デジタル放送やデジタル記憶媒体から得られる映像及び音声情報をデジタル伝送する場合でも、デジタル信号処理機器用の第２の符号化データに再構築されるので、アナログ信号処理機器と同様にして再現性良く通常再生及び映像の静止、早送り及び早戻しなどの特殊再生を行うことができる。
【手続補正１１】
【補正対象書類名】明細書
【補正対象項目名】００１７
【補正方法】変更
【補正の内容】
【００１７】
本発明に係るデータ再構築装置によれば、映像及び音声情報を含んだ第１の符号化データをデジタル信号処理機器用の符号化データに再構築する場合に、通常再生時には多重分離された後の第１の符号化データを選択し、特殊再生時には、画像挿入手段でイントラピクチャ間に固定パターンのＢピクチャ及びＰピクチャを挿入された出力を選択するように制御される選択手段を備えたものである。
【手続補正１２】
【補正対象書類名】明細書
【補正対象項目名】００１８
【補正方法】変更
【補正の内容】
【００１８】
この構成によって、当該映像及び音声情報を当該データ再構築装置を通してデジタル信号処理機器に再現性良く伝送することができる。特に、当該データ再構築装置を応用したデータ再生伝送装置において映像を静止、早送り又は早戻しするような特殊再生を行った場合に、デジタル信号処理機器で要求される所定の情報処理規則に従った符号化データを再構築すれば、そのデジタル信号処理機器において、アナログ信号処理機器と同様にして連続性の良い画像処理を行うことができる。
【手続補正１３】
【補正対象書類名】明細書
【補正対象項目名】００１９
【補正方法】変更
【補正の内容】
【００１９】
本発明に係るデータ再構築方法によれば、所定の情報処理規則に従って符号化された映像及び音声情報を含む第１の符号化データをデジタル信号処理機器用の第２の符号化データに再構築する際に、通常再生時、多重分離後の第１の符号化データを選択し、特殊再生時、保持されたイントラピクチャ間に固定パターンのＢピクチャ及びＰピクチャを挿入してストリームとしての出力を選択するようになされる。
【手続補正１４】
【補正対象書類名】明細書
【補正対象項目名】００２１
【補正方法】変更
【補正の内容】
【００２１】
続いて、本発明に係るデータ再構築装置及びデータ再構築方法の実施形態について図面を参照して詳細に説明する。
（１）データ再構築装置を応用した実施形態としてのデータ再生伝送装置
図１は、本発明に係るデータ再構築装置を応用した実施形態としてのデータ再生伝送装置１の構成例を示すブロック図である。
この実施形態では、映像及び音声情報を含んだ符号化データ又は復号化後のデータをデジタル信号処理機器用の符号化データに再構築するようにして、所定の情報処理規則に従って符号化された、デジタル放送やデジタル記憶媒体から得られる映像及び音声情報をデジタル伝送する場合でも、アナログ信号処理機器と同様にして再現性良く通常再生及び映像の静止、早送り及び早戻しなどの特殊再生できるようにしたものである。